【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
表示装置の表示内容を制御する表示制御装置であって、
所定の表示継続時間を有する表示出力要求を作成する表示出力要求作成手段と、
前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、
前記表示内容調整手段は、前記第２の表示継続時間が終了した時点における前記第１の表示継続時間の残時間が所定値未満である場合に、前記第１の表示出力要求に係る表示の終了タイミングを前記第２の表示出力に係る表示の終了タイミングに同期させることを特徴とする表示制御装置。
【請求項２】
表示装置の表示内容を制御する表示制御装置であって、
所定の表示継続時間を有する表示出力要求を作成する表示出力要求作成手段と、
前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、
前記表示内容調整手段は、前記第２の表示継続時間が終了した時点における前記第１の表示継続時間の残時間が所定値未満である場合に、前記第１の表示継続時間を延長することを特徴とする表示制御装置。
【請求項３】
前記表示装置が有する複数の表示部分領域に対応し、各表示部分領域に対して消灯もしくは点灯のいずれかを記憶する表示用メモリと、前記表示用メモリへの書き込み時に予め全記憶領域に対して消灯を書き込み、該書き込み後、点灯すべき表示部分領域に対応する記憶領域に対して選択的に点灯の書き込みを行なうメモリ制御手段と、をさらに備えたことを特徴とする請求項１または２に記載の表示制御装置。
【請求項４】
前記メモリ制御手段は、前記表示装置における表示部分領域を全て消灯する場合に、前記全記憶領域に対して消灯を書き込んだ段階で前記表示メモリの内容を表示装置に送出することを特徴とする請求項３に記載の表示制御装置。
【請求項５】
前記メモリ制御手段は、前記選択的な点灯の書き込みの実行中に、前記表示メモリの内容を表示装置に随時送出することを特徴とする請求項３または４に記載の表示制御装置。
【請求項６】
前記表示用メモリを複数備え、前記メモリ制御手段は、該複数の表示用メモリの内容を交互に表示装置に送出して表示内容を点滅させることを特徴とする請求項３，４または５に記載の表示制御装置。
【請求項７】
表示装置の表示内容を制御する表示制御装置であって、
所定の表示継続時間を有する表示出力要求を作成する表示出力要求作成手段と、
前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、
前記表示内容調整手段は、前記第２の表示継続時間が終了した時点における前記第１の表示継続時間の残時間に応じて、前記第１の表示出力要求に係る表示の終了タイミングを変更させることを特徴とする表示制御装置。
【手続補正２】
【補正対象書類名】明細書
【補正対象項目名】００１０
【補正方法】変更
【補正の内容】
【００１０】
上述した課題を解決し、目的を達成するため、請求項１の発明に係る表示制御装置は、表示装置の表示内容を制御する表示制御装置であって、所定の表示継続時間を有する表示出力要求を作成する表示出力要求作成手段と、前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、前記表示内容調整手段は、前記第２の表示継続時間が終了した時点における前記第１の表示継続時間の残時間が所定値未満である場合に、前記第１の表示出力要求に係る表示の終了タイミングを前記第２の表示出力に係る表示の終了タイミングに同期させることを特徴とする。
【手続補正３】
【補正対象書類名】明細書
【補正対象項目名】００１１
【補正方法】変更
【補正の内容】
【００１１】
この請求項１の発明によれば表示制御装置は、第１の表示継続時間を有する第１の表示出力要求と、第２の表示継続時間を有する第２の表示出力要求とが作成された場合に、表示装置の表示内容を調整し、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示出力要求に係る表示の終了タイミングを第２の表示出力に係る表示の終了タイミングに同期させる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、請求項２の発明に係る表示制御装置は、表示装置の表示内容を制御する表示制御装置であって、所定の表示継続時間を有する表示出力要求を作成する表示出力要求作成手段と、前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、前記表示内容調整手段は、前記第２の表示継続時間が終了した時点における前記第１の表示継続時間の残時間が所定値未満である場合に、前記第１の表示継続時間を延長することを特徴とする。
【手続補正７】
【補正対象書類名】明細書
【補正対象項目名】００１５
【補正方法】変更
【補正の内容】
【００１５】
この請求項２の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示継続時間を延長する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、請求項３の発明に係る表示制御装置は、請求項１または２に記載の発明において、前記表示装置が有する複数の表示部分領域に対応し、各表示部分領域に対して消灯もしくは点灯のいずれかを記憶する表示用メモリと、前記表示用メモリへの書き込み時に予め全記憶領域に対して消灯を書き込み、該書き込み後、点灯すべき表示部分領域に対応する記憶領域に対して選択的に点灯の書き込みを行なうメモリ制御手段と、をさらに備えたことを特徴とする。
【手続補正１３】
【補正対象書類名】明細書
【補正対象項目名】００２１
【補正方法】変更
【補正の内容】
【００２１】
この請求項３の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なう。
【手続補正１４】
【補正対象書類名】明細書
【補正対象項目名】００２２
【補正方法】変更
【補正の内容】
【００２２】
また、請求項４の発明に係る表示制御装置は、請求項３に記載の発明において、前記メモリ制御手段は、前記表示装置における表示部分領域を全て消灯する場合に、前記全記憶領域に対して消灯を書き込んだ段階で前記表示メモリの内容を表示装置に送出することを特徴とする。
【手続補正１５】
【補正対象書類名】明細書
【補正対象項目名】００２３
【補正方法】変更
【補正の内容】
【００２３】
この請求項４の発明によれば表示制御装置は、表示装置における表示部分領域を全て消灯する場合に、前記全記憶領域に対して消灯を書き込んだ段階で前記表示メモリの内容を表示装置に送出する。
【手続補正１６】
【補正対象書類名】明細書
【補正対象項目名】００２４
【補正方法】変更
【補正の内容】
【００２４】
また、請求項５の発明に係る表示制御装置は、請求項３または４に記載の発明において、前記メモリ制御手段は、前記選択的な点灯の書き込みの実行中に、前記表示メモリの内容を表示装置に随時送出することを特徴とする。
【手続補正１７】
【補正対象書類名】明細書
【補正対象項目名】００２５
【補正方法】変更
【補正の内容】
【００２５】
この請求項５の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうとともに、表示メモリの内容を表示装置に随時送出する。
【手続補正１８】
【補正対象書類名】明細書
【補正対象項目名】００２６
【補正方法】変更
【補正の内容】
【００２６】
また、請求項６の発明に係る表示制御装置は、請求項３，４または５に記載の発明において、前記表示用メモリを複数備え、前記メモリ制御手段は、該複数の表示用メモリの内容を交互に表示装置に送出して表示内容を点滅させることを特徴とする。
【手続補正１９】
【補正対象書類名】明細書
【補正対象項目名】００２７
【補正方法】変更
【補正の内容】
【００２７】
この請求項６の発明によれば表示制御装置は、複数の表示用メモリの内容を交互に表示装置に送出して表示内容を点滅させる。
また、請求項７の発明に係る表示制御装置は、表示装置の表示内容を制御する表示制御装置であって、所定の表示継続時間を有する表示出力要求を作成する表示出力要求作成手段と、前記表示出力作成手段が第１の表示継続時間を有する第１の表示出力要求を作成し、該作成後、前記第１の表示出力要求に優先し、第２の表示継続時間を有する第２の表示出力要求を作成した場合に、少なくとも前記第１の表示出力要求に基づく表示内容を調整する表示内容調整手段と、を備え、前記表示内容調整手段は、前記第２の表示継続時間が終了した時点における前記第１の表示継続時間の残時間に応じて、前記第１の表示出力要求に係る表示の終了タイミングを変更させることを特徴とする。
この請求項７の発明によれば表示制御装置は、第２の表示継続時間が終了した場合に、第１の表示継続時間の残時間に応じて第１の表示出力要求に係る表示の終了タイミングを変更する。
【手続補正２０】
【補正対象書類名】明細書
【補正対象項目名】００２８
【補正方法】変更
【補正の内容】
【００２８】
請求項１の発明によれば表示制御装置は、第１の表示継続時間を有する第１の表示出力要求と、第２の表示継続時間を有する第２の表示出力要求とが作成された場合に、表示装置の表示内容を調整するので、表示画面のちらつきを防止して視認性を向上した表示制御装置を得ることができるという効果を奏する。
【手続補正２１】
【補正対象書類名】明細書
【補正対象項目名】００２９
【補正方法】変更
【補正の内容】
【００２９】
また、特に、第２の表示継続時間が終了した時点における第１の表示継続時間の残時間が所定値未満である場合に、第１の表示出力要求に係る表示の終了タイミングを第２の表示出力に係る表示の終了タイミングに同期させるので、短時間の表示の発生を抑制して表示画面のちらつきを防止し、視認性を向上した表示制御装置を得ることができるという効果を奏する。
【手続補正２２】
【補正対象書類名】明細書
【補正対象項目名】００３０
【補正方法】変更
【補正の内容】
【００３０】
また、請求項２の発明によれば表示制御装置は、第１の表示継続時間を有する第１の表示出力要求と、第２の表示継続時間を有する第２の表示出力要求とが作成され、第２の表示継続時間が終了した時点における第１の表示継続時間の残時間が所定値未満である場合に、第１の表示継続時間を延長するので、視認に充分な時間を確保して表示画面のちらつきを防止し、視認性を向上した表示制御装置を得ることができるという効果を奏する。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】変更
【補正の内容】
【００３３】
また、請求項３の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうので、表示に係る処理の時間を短縮した表示制御装置を得ることができるという効果を奏する。
【手続補正２６】
【補正対象書類名】明細書
【補正対象項目名】００３４
【補正方法】変更
【補正の内容】
【００３４】
また、請求項４の発明によれば表示制御装置は、表示装置における表示部分領域を全て消灯する場合に、前記全記憶領域に対して消灯を書き込んだ段階で前記表示メモリの内容を表示装置に送出するので、画面のクリアを高速かつ低負荷で実行可能な表示制御装置を得ることができるという効果を奏する。
【手続補正２７】
【補正対象書類名】明細書
【補正対象項目名】００３５
【補正方法】変更
【補正の内容】
【００３５】
また、請求項５の発明によれば表示制御装置は、表示用メモリへの書き込み時に予め全記憶領域に対して消灯を書き込み、書き込み後、点灯すべき表示部分領域に対応する記憶領域に対して選択的に点灯の書き込みを行なうとともに、表示メモリの内容を表示装置に随時送出するので、表示に係る処理の時間を短縮し、表示を随時更新可能な表示制御装置を得ることができるという効果を奏する。
【手続補正２８】
【補正対象書類名】明細書
【補正対象項目名】００３６
【補正方法】変更
【補正の内容】
【００３６】
また、請求項６の発明によれば表示制御装置は、複数の表示用メモリの内容を交互に表示装置に送出して表示内容を点滅させるので、表示に係る処理の時間を短縮し、簡易に点滅表示を実行可能な表示制御装置を得ることができるという効果を奏する。
また、請求項７の発明によれば表示制御装置は、第２の表示継続時間が終了した場合に、第１の表示継続時間の残時間に応じて第１の表示出力要求に係る表示の終了タイミングを変更するので、ちらつきを無くして重要な情報を確実に伝えることができる表示制御装置を得ることができるという効果を奏する。